(57)【要約】【課題】さまざまな色、模様の紙垂を用いることにより祓え串を神事祭具だけでなく仏教祭具として家庭の仏壇にも供えられるようにするとともに、優れたインテリアとして使用できる祓え串を提供する。【解決手段】祓え串の紙垂が、彩色された複数枚の紙、布、金属箔、又はプラスチックから選択されるいずれか１種類又は２種類以上の素材で構成され、また前記紙垂の１枚１枚が均一又は濃淡を持つ色に彩色され、あるいは表裏それぞれ異なった色に彩色され、また部分部分で異なる色に彩色され、また蛍光材料あるいは夜光材料で着色される。さらに　前記祓え串の柄が伸縮自在に構成され、又は前記柄が透明な素材からなり、その内部に発光体を備える。【選択図】　図１
2004049761.tif 000002
【特許請求の範囲】
【請求項１】
神仏の祭事等に使用する祓え串において、その紙垂が、彩色された複数枚の紙、布、金属箔、又はプラスチックから選択されるいずれか１種類又は２種類以上の素材で構成されることを特徴とする祓え串。
【請求項２】
前記紙垂が、複数の色の紙垂を複数枚組み合わせて構成されてなることを特徴とする請求項１に記載の祓え串。
【請求項３】
前記紙垂の１枚ごとに、均一又は濃淡の彩色がなされてなることを特徴とする請求項１又は２に記載の祓え串。
【請求項４】
前記紙垂の表裏が、それぞれ異なった色に彩色されてなることを特徴とする請求項１〜３のいずれか１項に記載の祓え串。
【請求項５】
前記紙垂の１枚ごとの彩色が、部分部分で異なる色によってなされていることを特徴とする請求項１〜４のいずれか１項に記載の祓え串。
【請求項６】
前記紙垂が、蛍光材料あるいは夜光材料を有している素材で構成されていることを特徴とする請求項１〜５のいずれか１項に記載の祓え串。
【請求項７】
前記紙垂が、さまざまな地模様あるいは透かし模様が施されてなることを特徴とする請求項１〜６のいずれか１項に記載の祓え串。
【請求項８】
前記祓え串の柄が、伸縮自在に構成されてなることを特徴とする請求項１〜７のいずれか１項に記載の祓え串。
【請求項９】
前記祓え串が複数段重ねられて構成されてなることを特徴とする請求項１〜８のいずれか１項に記載の祓え串。
【請求項１０】
前記祓え串の柄が、透明又は半透明な素材からなり、その内部に照明装置を備えてなることを特徴とする請求項１〜９のいずれか１項に記載の祓え串。
【請求項１１】
前記祓え串が立設可能な受け台を備えてなることを特徴とする請求項１〜１０のいずれか１項に記載の祓え串。
【発明の詳細な説明】
【０００１】
【発明の属する技術分野】神仏の祭事等に使用する祓え串に関する。
【０００２】
【従来の技術及び発明が解決しようとしている課題】神仏の祭事具としての祓え串は、従来、該祓え串に用いられる紙垂の色が白、又は金、銀のいずれか１色に限られていた。したがって、前記祓え串は、神仏の祭事具というものの、主に神前に供えられることが多く、色彩豊かな旗幟や散華などを伴う仏教行事に用いられることは極めて希であり、一般家庭においても神棚には供えられるが、仏壇に供えることはまずなかった。その上昨今の住宅事情から一般家庭において神棚を祀ることがほとんどなくなり、祓え串が家庭に入ることは一層少なくなってきている。
上記現状に鑑み、さまざまな色、模様の紙垂を用いることにより祓え串を仏教祭具として家庭の仏壇にも供えられるようにするとともに、装飾的に優れたインテリアとしても使用できる祓え串を提供する。
【０００３】
【課題を解決するための手段】本発明者は上記課題を解決するもので、下記構成の祓え串である。
（１）神仏の祭事等に使用する祓え串において、その紙垂が、彩色された複数枚の紙、布、金属箔、又はプラスチックから選択されるいずれか１種類又は２種類以上の素材で構成されることを特徴とする祓え串。
（２）前記紙垂が、複数の色の紙垂を複数枚組み合わせて構成されてなることを特徴とする前記（１）に記載の祓え串。
（３）前記紙垂の１枚ごとに、均一又は濃淡の彩色がなされてなることを特徴とする前記（１）又は（２）に記載の祓え串。
（４）前記紙垂の表裏が、それぞれ異なった色に彩色されてなることを特徴とする前記（１）〜（３）のいずれか１項に記載の祓え串。
（５）前記紙垂の１枚ごとの彩色が、部分部分で異なる色によってなされていることを特徴とする前記（１）〜（４）のいずれか１項に記載の祓え串。
（６）前記紙垂が、蛍光材料あるいは夜光材料を有している素材で構成されていることを特徴とする前記（１）〜（５）のいずれか１項に記載の祓え串。
（７）前記紙垂が、さまざまな地模様あるいは透かし模様が施されてなることを特徴とする前記（１）〜（６）のいずれか１項に記載の祓え串。
（８）前記祓え串の柄が、伸縮自在に構成されてなることを特徴とする前記（１）〜（７）のいずれか１項に記載の祓え串。
（９）前記祓え串が複数段重ねられて構成されてなることを特徴とする前記（１）〜（８）のいずれか１項に記載の祓え串。
（１０）前記祓え串の柄が、透明又は半透明な素材からなり、その内部に照明装置を備えてなることを特徴とする前記（１）〜（９）のいずれか１項に記載の祓え串。
（１１）前記祓え串が立設可能な受け台を備えてなることを特徴とする前記（１）〜（１０）のいずれか１項に記載の祓え串。
【０００４】
【発明の実施の形態】本発明の実施の形態を図によって説明する。
図１は祓え串実施例の構造図、図２は柄の実施例の構造図（ａ）〜（ｆ）と柄の先端部に接着又は装着する冠頭の実施例の構造図、図３は柄の長さ調節構造の実施例の断面図である。
また、図４は紙垂の着色の実施例を示す図、図５は祓え串を２段重ねに構成した実施例の構造図、図６は内部に照明装置を備えた透明又は半透明の筒形状柄の実施例の断面図（ａ）〜（ｃ）及び受け台の電極配置図（ｄ）、図７は受け台の斜視図である。
【０００５】
図１に示すように本発明の祓え串１は、柄２の先端部に複数枚（通常は８０枚を一組として一組又は二組）の紙垂３（図では彩色の異なる３種の紙垂３ａ、３ｂ、３ｃを各２枚使用した場合を示す）の一端を接着した後、柄２の先端部に正方形の紙、布など紙垂３と同様な素材の被覆シート４を１枚又は複数枚（図１では４ａ、４ｂ、４ｃの３枚）をその中心が柄２の先端部に位置するよう配置し、被覆シート４の周辺部を柄２に沿って折り曲げて紙垂の接着部を覆うとともに、折り曲げた被覆シートの上にリボン等５を捲着させて縛り、被覆シート４及び紙垂３を柄２に固着することで構成されている。
【０００６】
前記柄２の素材は、木、竹、プラスチック、金属のいずれであってもよく、形状も図２に示すように円柱形（ａ）、多角柱形（ｂ、ｃ、ｄ）あるいは、円筒（ｅ）、多角筒（図示せず）等であってもよい。また、図２（ｆ）に示すように柄の先端部を紙垂が接着しやすいように多角柱状に加工し、あるいは図２（ｇ）、（ｈ）に示すような角柱状の冠頭を柄の先端部に接着するか、図２（ｉ）、（ｊ）に示すような冠頭を筒形柄の先端部に挿着してもよい。さらに前記各種素材細い棒状体を束ねたものでもよく、その束も前記素材から選択された１種の束だけでなく、２種以上の素材を混合した束であってもよい。
また、柄２の長さを必要に応じて変化できるよう、図３（ａ）に示すように短い柄を複数本接続する、あるいは図３（ｂ）に実施例を示すような伸縮自在な構造に構成してもよい。
【０００７】
前記柄に接着される紙垂３の素材としては、紙、布、金属箔、又はプラスチックから選択されるいずれか１種類、又はそれらの複数種を組み合わせて使用する。前記紙垂は、１枚の長方形の素材をその両端から交互に切り込み、それを引き伸ばすことにより稲妻状の長尺の片とする方法で製作されるが、その彩色、模様付け等は、切り込みを入れる前の素材に印刷、染め、コーティング、あるいは素材製作時の原料への染料混合、透かし模様の漉き込み等を施すことによって実施できる。
また前記紙垂３の幅も上記切り込み幅によって任意に設定できる。
なお、紙垂３は、前記１枚の長方形の素材をその両端から交互に切り込み、それを引き伸ばすことにより稲妻状の長尺の片とする方法以外にも、立体的構造のものや、平面的構造のものなど、使用する素材に適した形状で成型して使用することもできる。
【０００８】
図４に紙垂の着色の実施例のいくつかを示す。
（実施例１）図４（ａ）に示す紙垂は、表裏全面均一な彩色を施したものである。
【０００９】
（実施例２）図４（ｂ）に示す紙垂は、表裏に同系色の濃淡を有する彩色を施したものである。
【００１０】
（実施例３）図４（ｃ）に示す紙垂は、表面ｃ１，ｃ３と裏面ｃ２，ｃ４とがそれぞれ異なる色に彩色されたもので、表裏のいずれか一面、又は両面が均一又は濃淡を持って彩色されてあってもよい。
【００１１】
（実施例４）図４（ｄ）に示す紙垂は、部分部分ｄ１，ｄ２、ｄ３、ｄ４がそれぞれ異なる色で彩色されたものであり、色彩の境界線が明確になるものであっても、あるいはなだらかに変化するものであってもよい。また、ｄ１、ｄ２、ｄ３、ｄ４の部分部分内で異なる複数の色が使用されるものであってもよい。
【００１２】
上記実施例１〜４の紙垂には、発光材料としての蛍光材料、例えば硫化亜鉛、硫化亜鉛カドミニウムに銅、銀、マンガンの活性化剤を加えたもの等、又は夜光（りん光）材料、例えば硫化亜鉛カドミニウムに活性化剤として銅を加えたものや硫化カルシウムに活性化剤としてビスマスを加えたもの等を含ませてもよい。
【００１３】
（実施例５）図４（ｅ）に示す紙垂は、地模様又は透かし模様を施したものであり、前記実施例１〜４と組み合わせて使用することを妨げない。
【００１４】
図５に上記祓え串を２段重ねに構成した実施例の構造図を示す。２つの祓え串の接合は、柄を一体に接合できる方法であればその接合方法は限定されるものではなく、例えば、図３（ａ）に示した短い柄を複数本接続する場合と同様な構造など、容易かつ強固に接合できる。
設置する環境や祓え串の大きさを考慮し、多段に形成することが望ましい。
【００１５】
図６に内部に照明装置を備えた透明又は半透明の素材からなる筒形状の柄１１の実施例を示す。
図６（ａ）は、透明又は半透明の素材からなる筒形状の柄１１の内部に豆電球などの発光体１２を備え、該祓え串を後述の受け台６（図７参照）に挿入すると、柄の下部に備えた端子１６、１６’が受け台６に備えた２つの電極にそれぞれ接触して点灯する。なお図において１３は豆電球用のソケットを示す。
なお、前記端子１６は柄の中心軸の位置に、端子１６’は柄の中心軸から離れた位置に設置される。これは前記柄２を受け台６に常に一定の向きで挿入することは期待できない。したがって、祓え串がどのような向きで受け台に挿入されようとも常に前記端子１６，１６’が受け台６の電極に接触できるようにするためであり、受け台６の電極は図６（ｄ）に示すように同心円状に構成される。
【００１６】
図６（ｂ）は、透明又は半透明の素材からなる筒形状の柄１１の内部に豆電球などの発光体１２と乾電池１４とを備えた実施例である。発光体１２を点滅させるため透明又は半透明の素材からなる筒形状の柄１１の側面にスイッチ１５を備えている。
また、図６（ｃ）は、透明又は半透明の素材からなる筒形状の柄１１の内部に豆電球などの発光体１２と充電可能な電池１４’とを備えた実施例である。発光体１２を点滅させるため透明又は半透明の素材からなる筒形状の柄１１の側面にスイッチ１５を備え、柄１１の下部には受け台の電極に接触する電極１６，１６’を備えている。この場合も前記端子１６は柄の中心軸の位置に、端子１６’は柄の中心軸から離れた位置に設置され、受け台６の電極が図６（ｄ）に示すように同心円状に構成されるのはいうまでもないが、それに加えて受け台には、充電可能な電池１４’の充電に必要な電圧の直流を出力する図示しないＡＣ−ＤＣコンバータを備えなければならないことになる。
図６に示した実施例では発光体１２の例に豆電球を取り上げたが、何も豆電球に限られるものではない。例えば蛍光灯、発光ダイオードなどの使用も考えられてよい。
【００１７】
図７に祓え串１の受け台６の１実施例を示す。祓え串１の受け台６は祓え串１が挿脱自在に立設された筒状部７と、前記筒状部７を転倒不能にするための脚部８とで構成され、筒部７の形状・寸法は、祓え串の主柱となる柄２の根元の形状・寸法に対応させてさまざまな内径の方形筒、円筒等が選択でき、また筒状部７及び脚部８の素材も、木、竹、プラスチック、金属等祓え串１の素材に合わせて選択できる。
また、前述した透明又は半透明の素材からなる筒形状の柄１１の内部に発光体を備える場合には、前記受け台６には図６（ｄ）に示すような同心円状の電極や、いずれも図示しないＡＣ−ＤＣコンバータ、及び前記電極やＡＣ−ＤＣコンバータに商用電源から電力を供給するための電源コードなどを備える構成とすることが望ましい。
なお、祓え串１の受け台６として花瓶、陶磁器、ビン等を使用することを妨げるものではない。
【００１８】
【発明の効果】本発明によって下記の効果が発揮される。
（１）従来紙の色彩が白又は、金、銀の１色に限られ、また素材も主に和紙であった紙垂を、多様な色彩、模様を持ち、かつ素材も和紙に限らず洋紙、布、金属箔、プラスチック等により構成することにより、祓え串の用途を、従来の神前の祭事具から仏前祭事具や、インテリア等にまで拡げられる。
（２）紙垂に発光材料としての蛍光材料や夜光材料を有する素材を使用することにより、紙垂をより明るく、より色鮮やかに見せたり、夜間祓え串の存在を明確にしたりできる。
（３）大きさの異なる祓え串が、大は火消しの纒程度のものから、小は机上の置物まで任意に製作できる。
（４）透明又は半透明の祓え串の柄の内部に発光体を備えることにより、祓え串の存在が明確になり、インテリアとしての効果が高めるほか、神前や仏前の常夜灯としての機能を持たせることもできるようになる。
【図面の簡単な説明】
【図１】祓え串の実施例の構造図
【図２】柄の実施例の構造図（ａ）〜（ｆ）と柄の先端部に接着又は装着する冠頭の実施例（ｇ）〜（ｊ）の構造図
【図３】柄の長さ調節構造の実施例の断面図
【図４】紙垂の着色の実施例を示す図
【図５】祓え串を２段重ねに構成した実施例の構造図
【図６】内部に照明装置を備えた透明又は半透明の筒形状柄の実施例の断面図（ａ、ｂ、ｃ）及び受け台の電極配置図（ｄ）
【図７】受け台の斜視図
【符号の説明】
１：祓え串　　　　　　　　　　　　　　　　　　　　　　　　　　２、２’：柄
３（３ａ、３ｂ、３ｃ）、３’（３’ａ、３’ｂ、３’ｃ）：紙垂
４（４ａ、４ｂ、４ｃ）：被覆シート
５：リボン等　　　　　　　　　　　　　　　　　　　　　　　　６：受け台
７：筒状部　　　　　　　　　　　　　　　　　　　　　　　　　　８：脚部
１１：透明又は半透明の素材からなる筒形状の柄
１２：発光体　　　　　　　　　　　　　　　　　　　　　　　　１３：ソケット
１４：乾電池　　　　　　　　　　　　　　　　　　　　　　　　１４’：充電可能な乾電池
１５：スイッチ　　　　　　　　　　　　　　　　　　　　　　１６、１６’：端子
２０：柄の接合部
【図１】
2004049761.tif 000003
【図２】
2004049761.tif 000004
【図３】
2004049761.tif 000005
【図４】
2004049761.tif 000006
【図５】
2004049761.tif 000007
【図６】
2004049761.tif 000008
【図７】
2004049761.tif 000009